(57)【要約】【課題】  複数の印刷ジョブを連結して１つのジョブを作成するための操作が途中で中断しても、後に再開することを可能にする。【解決手段】  作成操作が終了していないジョブを作成中断ジョブとして保存する作成中断ジョブ記憶手段を有し、中断したジョブの作成を再開する際には、作成中断ジョブ記憶手段に記憶された作成中断ジョブを呼び出して、ジョブ作成を再開する。【選択図】  図１
2006159760.tif 000002
【特許請求の範囲】
【請求項１】
画像データの入力を行う画像データ入力手段と、
前記画像データ入力手段で入力された画像データを記憶する画像データ記憶手段と、
画像形成モードを設定する画像形成モード設定手段と、
前記画像データ記憶手段で記憶された画像データとの関連付けと前記画像形成モード設定手段で設定された画像形成モードを記述した画像情報ファイルを作成する画像情報ファイル作成手段と、
前記画像情報ファイルを複数記憶する画像情報ファイル記憶手段と、
前記画像情報ファイル記憶手段から画像情報ファイルを複数選択し、任意の出力順に連結することで１つのジョブとするジョブ作成手段と、
１つのジョブとして連結された複数の前記画像情報ファイルに関連付けられた画像データをそれぞれの画像形成モードに従い画像形成するジョブ出力手段を有する画像形成装置において、
前記ジョブ作成手段で作成が終了していないジョブを作成中断ジョブとして保存する作成中断ジョブ記憶手段と、
前記作成中断ジョブ記憶手段に記憶された作成中断ジョブを選択し、ジョブ作成を再開するジョブ作成再開手段とを有することを特徴とする画像形成装置。
【請求項２】
請求項１記載の画像形成装置において、前記作成中断ジョブに連結された画像情報ファイルや画像情報ファイルと関連付けられた画像データが削除されないようにする手段を設けたことを特徴とする画像形成装置。
【請求項３】
請求項１記載、又は、請求項２記載の画像形成装置において、前記作成中断ジョブを前記ジョブ出力手段で画像形成されないようにする手段を設けたことを特徴とする画像形成装置。
【請求項４】
請求項１記載から請求項３記載の画像形成装置において、前記画像情報ファイル記憶手段に記憶された画像情報ファイルの画像形成モードを再設定する手段を設けたことを特徴とする画像形成装置。
【請求項５】
請求項１記載から請求項４記載の画像形成装置において、画像データと画像形成モードからなる画像情報を入力する画像情報入力手段と、
前記画像情報入力手段で入力した画像情報を画像データと画像形成モードに展開し、画像データと記憶するとともに前記画像情報ファイルを作成し記憶する画像情報展開手段を設けたことを特徴とする画像形成装置。
【発明の詳細な説明】
【技術分野】
【０００１】
本発明は、紙原稿やホストから入力された印刷データを指定された画像形成モードに従って印刷する機能を有する複写機やプリンタ等の画像形成装置に関するものである。
【背景技術】
【０００２】
従来、デジタル複写機などの画像形成装置において、議題が複数ある会議の配布資料作成等のため、複数の原稿束や複数の印刷ジョブを１つにまとめて印刷する装置が考案されており、例えば、ホストから投入された印刷ジョブを記憶し、記憶された印刷ジョブの中から所望のジョブを複数選択し、選択されたジョブを所望の順で連結して１つのジョブを作成し、出力する画像形成装置が知られている（例えば、特許文献１参照）。また、連結された印刷ジョブのそれぞれ異なる出力形態の場合にそれぞれに指定された出力形態でそれぞれの印刷ジョブを出力する画像形成装置も提案されている。
【特許文献１】特開２００１−１５６９８４号公報
【発明の開示】
【発明が解決しようとする課題】
【０００３】
しかしながら、上述した特許文献１では、１つのジョブを作成するためには、複数の原稿束をスキャナで読み込んだり、記憶された印刷ジョブや画像データを選択したり、それらに異なる画像処理や出力処理を設定したりと処理手順が多く、時間がかかるため、一人のオペレータが機械を占有してしまい、他のオペレータが待たされる。さらに、他のオペレータの作業を優先したい場合に作成中断のジョブを破棄して、操作権を他のオペレータに明け渡さなければならなかった。
【０００４】
本発明は上記の問題点を解決するためになされたものであり、その目的は複数の画像データや印刷ジョブを連結して作成するジョブを作成中断で記憶することが可能、かつ、記憶した作成中断のジョブを再度構築することが可能な画像形成装置を提供することである。
【課題を解決するための手段】
【０００５】
本発明に係る第１の発明は、画像データの入力を行う画像データ入力手段と、前記画像データ入力手段で入力された画像データを記憶する画像データ記憶手段と、画像形成モードを設定する画像形成モード設定手段と、前記画像データ記憶手段で記憶された画像データとの関連付けと前記画像形成モード設定手段で設定された画像形成モードを記述した画像情報ファイルを作成する画像情報ファイル作成手段と、前記画像情報ファイルを複数記憶する画像情報ファイル記憶手段と、前記画像情報ファイル記憶手段から画像情報ファイルを複数選択し、任意の出力順に連結することで１つのジョブとするジョブ作成手段と、１つのジョブとして連結された複数の前記画像情報ファイルに関連付けられた画像データをそれぞれの画像形成モードに従い画像形成するジョブ出力手段を有する画像形成装置において、前記ジョブ作成手段で作成が終了していないジョブを作成中断ジョブとして保存する作成中断ジョブ記憶手段と、前記作成中断ジョブ記憶手段に記憶された作成中断ジョブを選択し、ジョブ作成を再開するジョブ作成再開手段とを有することを特徴とする。
【０００６】
本発明に係る第２の発明は前記作成中断ジョブに連結された画像情報ファイルや画像情報ファイルと関連付けられた画像データが削除されないようにする手段を設けたことを特徴とする。
【０００７】
本発明に係る第３の発明は、前記作成中断ジョブを前記ジョブ出力手段で画像形成されないようにする手段を設けたことを特徴とする。
【０００８】
本発明に係る第４の発明は、前記画像情報ファイル記憶手段に記憶された画像情報ファイルの画像形成モードを再設定する手段を設けたことを特徴とする。
【０００９】
本発明に係る第５の発明は画像データと画像形成モードからなる画像情報を入力する画像情報入力手段と、前記画像情報入力手段で入力した画像情報を画像データと画像形成モードに展開し、画像データと記憶するとともに前記画像情報ファイルを作成し記憶する画像情報展開手段を設けたことを特徴とする。
【発明の効果】
【００１０】
本発明に係る第１発明によれば、複数の原稿束をスキャンする等して作成した画像データと画像形成モードを関連付けて作成した画像情報ファイルを連結して作成するジョブを作成中断で記憶することが可能、かつ、記憶した作成中断のジョブの構築を再開することが可能であり、優先度の高い作業を先に実施させたいといった場合に、作成中断のジョブを破棄せずにすみ、ユーザの利便性を高めている。
【００１１】
第２の発明によれば、作成中断のジョブで使用されている画像データや画像情報ファイルが誤って消去されることを防ぐことができる。
【００１２】
第３の発明によれば、未完成のジョブが誤って出力されてしまうことで起こる印刷媒体や出力時間の無駄を未然に防ぐことができる。
【００１３】
第４の発明によれば、一度設定された画像形成モードを手直しすることができるので、画像束の読み込みや印刷ジョブの投入を再度行わないようにすることができる。
【００１４】
第５の発明によれば、画像データと画像形成モードの組み合わせからなるＰＤＬデータ等も使用して作成するジョブにおいても第１から第４の発明の効果を得ることができる。
【発明を実施するための最良の形態】
【００１５】
（実施例１）
図１は、本発明の実施形態を示す画像処理装置の構成を示すブロック図である。
【００１６】
図において、１０１はデジタル複写機本体で、操作部１０２、リーダ部１０３、プリンタ部１０４から構成される。
【００１７】
操作部１０２は、デジタル複写機本体１０１及び画像入出力制御部１０５を操作するために使用される。リーダ部１０３は、原稿の画像を読み取り、原稿画像に応じた画像データを画像入出力制御部１０５へ出力する。プリンタ部１０４は、画像入出力制御部１０５からの画像データに応じた画像を記録紙上に記録する。
【００１８】
画像入出力制御部１０５は、操作部１０２、リーダ部１０３、プリンタ部１０４に接続されており、ファクシミリ部１０６、コンピュータインタフェース部１０７、ハードディスク１０８、制御部１０９から構成される。
【００１９】
ファクシミリ部１０６は、電話回線を介して受信した圧縮画像データを伸長して、伸長された画像データを制御部１０９へ転送し、また、制御部１０９から転送された画像データを圧縮して、圧縮された圧縮画像データを電話回線を介して送信する。ファクシミリ部１０６により受信した圧縮画像データは、ハードディスク１０８に一時的に保存することができる。
【００２０】
コンピュータインタフェース部１０７は、パーソナルコンピュータ（以下、ＰＣ）１１０やデータベースサーバ（以下、サーバ）１１１と制御部１０９の間のインタフェースであり、ＰＣ１１０やサーバ１１１から転送された画像データを制御部１０９に渡す。また、制御部１０９からの指示により、ＰＣ１１０やサーバ１１１に対して画像データや制御コードを送信する。
【００２１】
ハードディスク１０８は、画像データの出力順序を変えたり、複数部出力においても一回のスキャンで出力ができるようにするためや、ファクシミリ送信やファクシミリ受信のように転送に時間がかかる場合に、ＰＤＬの展開データやスキャナからの画像データを一時的に記憶したり、同じ画像データを繰り返し読み出すために利用者が意図的に消去するまで記憶したりする。
【００２２】
制御部１０９については後述するが、制御部１０９は、ＣＰＵ，ＲＯＭ，ＲＡＭ等を有し、ＣＰＵがＲＯＭ又はその他の記憶媒体に格納されたプログラムを実行することにより画像処理装置全体を統括制御して、リーダ部１０３、プリンタ部１０４、ファクシミリ部１０６、コンピュータインタフェース部１０７、ハードディスク１０８のそれぞれの間のデータの流れを制御するものである。
【００２３】
図２は、図１に示したリーダ部１０３及びプリンタ部１０４の構成を示す断面図である。
【００２４】
リーダ部１０３において、２０１は原稿給送装置で、原稿を最終順に１枚ずつプラテンガラス２０２上へ給送し、原稿の読み取り動作終了後、プラテンガラス２０２上の原稿を排出するものである。
【００２５】
原稿がプラテンガラス２０２上に搬送されると、ランプ２０３を点灯し、そしてスキャナユニット２０４の移動を開始させて、原稿を露光走査する。この時の原稿からの反射光は、ミラー２０５，２０６，２０７、及びレンズ２０８によってＣＣＤイメージセンサ（以下ＣＣＤと呼ぶ）２０９へ導かれる。
【００２６】
このように、走査された原稿の画像はＣＣＤ２０９によって読み取られ、ＣＣＤ２０９から出力される画像データは、所定の処理が施された後、プリンタ部１０４及び画像入出力制御部１０５の制御部１０９へ転送される。
【００２７】
プリンタ部１０４において、２２１はレーザドライバで、レーザ発光部２１０を駆動するものであり、リーダ部１０３から出力された画像データに応じたレーザ光をレーザ発光部２１０に発光させる。このレーザ光は感光ドラム２１１に照射され、感光ドラム２１１にはレーザ光に応じた潜像が形成される。この感光ドラム２１１の潜像の部分には現像器２１２によって現像剤が付着される。
【００２８】
そして、レーザ光の照射開始と同期したタイミングで、カセット２１３及びカセット２１４のいずれかから記録紙を給紙して転写部２１５へ搬送し、感光ドラム２１１に付着された現像剤を記録紙に転写する。
【００２９】
現像剤の乗った記録紙は定着部２１６に搬送され、定着部２１６の熱と圧力により現像剤は記録紙に定着される。定着部２１６を通過した記録紙は排出ローラ２１７によって排出され、ソータ（仕分け装置）２２０は排出された記録紙をそれぞれのビンに収納して記録紙の仕分けをしたり、仕分けされた記録紙のステイプルを行う。
【００３０】
なお、ソータ２２０は仕分けが設定されていない場合は最上ビンに記録紙を収納する。また、両面記録が設定されている場合は、排出ローラ２１７のところまで記録紙を搬送した後、排出ローラ２１７の回転方向を逆転させ、フラッパ２１８によって再給紙搬送路２１９へ導く。
【００３１】
多重記録が設定されている場合は、記録紙を排出ローラ２１７まで搬送しないようにフラッパ２１８によって再給紙搬送路２１９へ導く。再給紙搬送路２１９へ導かれた記録紙は上述したタイミングで転写部２１５へ給紙される。
【００３２】
図３は、図１に示した操作部１０２のキー配列を示す外観図である。
【００３３】
図において、３０１は主電源ランプで、電源オン時に点灯する。図示せぬ電源スイッチは、本体の側面に配置され、本体への通電を制御する。３０２は予熱キーで、予熱モードのＯＮ／ＯＦＦに使用する。３０３はコピーモードキーで、複数の機能の中からコピーモードを選択する時に使用する。
【００３４】
３０４はファックスモードキーで、複数の機能の中からファックスモードを選択する時に使用する。３０５はボックスキーで、複数の機能の中からボックスモードを選択する時に使用する。ボックスに関しては後程説明する。
【００３５】
３０６はコピースタートキーで、コピーの開始を指示する時に用いるキーである。３０７はストップキーで、コピーを中断したり、中止したりする時に用いるキーである。３０８はリセットキーで、スタンバイ中は標準モードに復帰させるキーとして動作する。
【００３６】
３０９はガイドキーで、各機能を知りたい時に使用するキーである。３１０はユーザーモードキーで、ユーザがシステムの基本設定を変更する時に使用する。３１１は割り込みキーで、コピー中に割り込みしてコピーしたい時に用いる。
【００３７】
３１２はテンキーで、数値の入力を行う時に使用する。３１３はクリアキーで、数値をクリアする時に用いる。３１４は、２０個のワンタッチ・ダイヤル・キーであり、ファクシミリ送信において、ワンタッチでダイヤルする時に使用する。
【００３８】
３１５は２枚組のフタであり、ワンタッチ・ダイヤル・キー３１４の各キー部分がくり抜かれ形状の２重のフタになっている。図示せぬセンサスイッチにより、２枚のフタが閉じられた第１の状態、１枚目のフタだけが開いた第２の状態、及び２枚のフタが開いた第３の状態を検出する。これら３種類のフタの開閉状態と組み合わせで、ワンタッチ・ダイヤル・キー３１４のキーの動作が決定されるので、本実施形態では、キーが２０×３＝６０個存在するのと同等の効果を持つ。
【００３９】
３１６は、液晶画面とタッチセンサの組み合わせからなるタッチパネルであり、各モード毎に個別の設定画面が表示され、更に、描画されたキーに触れることで、各種の詳細な設定を行うことが可能である。
【００４０】
３１７は、ビルドジョブキーで、ビルドジョブを開始する時に用いるキーである。ビルドジョブとは、複数の原稿束や複数の印刷ジョブ毎に出力形態を指定してできる画像情報ファイルを１つのジョブとして任意の順番で印刷することである。
【００４１】
図４はハードディスク１０８の論理的な使用方法を示す説明図である。本実施例においては使用用途に応じてハードディスクの記憶領域をテンポラリ領域４０１とボックス領域４０２と作成中断ビルドジョブ領域４０８に論理的に分ける。
【００４２】
テンポラリ領域４０１は、画像データの出力順序を変えたり、複数部出力においても一回のスキャンや一回の画像展開で出力ができるようにするために、スキャナからの画像データやＰＤＬの展開データを一時的に記憶する記憶領域である。ボックス領域４０２はボックス機能を使用するための記憶領域であり、４０３〜４０７のように登録された数の小さな記憶領域（以降、ボックスと呼ぶ）に分割されている。
【００４３】
本実施例においてボックス機能とは、パソコンなどのホストから受信したＰＤＬデータを展開してできた画像データと指定された出力形態を組み合わせた画像情報ファイルやスキャナから読み取った原稿の画像データを指定されたデジタル複写機のハードディスクの記憶領域に転送し記憶しておき、用紙への出力はデジタル複写機本体の操作部から行うという機能である。ボックス４０３〜４０７は、会社などの部署毎に割り当てられ、各ボックスにはボックス名とパスワードを付けることができる。ユーザはボックス名を指定することで各ボックスにアクセスすることができ、パスワードが付けられていた場合、パスワードを入力しないと実際にボックスの中を見たり、用紙に出力することはできない。
【００４４】
また、ボックス内に格納される画像データ（以下、ボックス内に格納された画像データをドキュメントと呼ぶ）には、付属情報としてユーザ識別番号をつけることができる。
【００４５】
上記構成において、制御部１０９はハードディスク１０８を複数の領域に分けて管理し、ユーザの操作入力等により指定された前記複数の領域内の任意の領域に画像を記憶（記憶モード）することや、上記指定された領域から画像を読み出してプリント（出力モード）することができる。
【００４６】
そして、制御部１０９はユーザの操作入力等により前記複数の領域内を検索することや検索の照合結果を基に前記複数の領域内の複数の領域の名称を表示することもできる。
【００４７】
図５は、本発明の画像形成装置における第１の制御処理手順の一例を示すフローチャートである。なお、図５中のＳ５０１〜Ｓ５１４は各ステップを示す。
【００４８】
ステップＳ５０１で、ユーザがビルドジョブキー３１７を押下すると、図６に示すビルドジョブ開始画面がタッチパネル３１６に表示される。図６において、６０１はビルドジョブの新規作成キーであり、６０１を押下することにより、ステップＳ５０２で新規作成と判断され、ステップＳ５０３に移行する。６０２は作成中断ビルドジョブの一覧表示欄であり、６０３、６０４は作成中断ビルドジョブの名称表示であるとともに選択ボタンでもあり、押下することにより表示が反転し選択されていることを表すようになる。また、６０３、６０４はどれか一方のみ選択可能であり、他が選ばれているときに一方を押下すると他の選択は解除される。作成中断ビルドジョブの選択されている状態でＯＫキー６０５を押下するとステップＳ５０２で新規作成ではないと判断され、ステップＳ５０４に移行する。
【００４９】
ステップＳ５０３では、ビルドジョブ用の新規領域をハードディスク１０８のテンポラリ領域４０１に作成し、ステップＳ５０５に移行する。
【００５０】
ステップＳ５０４では、作成中断ビルドジョブをハードディスク１０８の作成中断ビルドジョブ領域４０８からテンポラリ領域４０１に移動させ、ステップＳ５０５に移行する。
【００５１】
ステップＳ５０５では、図７に示すビルドジョブ画面がタッチパネル３１６に表示される。図７において、７０１、７０２はビルドジョブに追加されている画像情報ファイルの名称表示であるとともに選択ボタンでもあり、押下することによって表示が反転し、選択されていることを表すようになる。また、７０１、７０２はどれか一方のみ選択可能であり、他が選ばれているときに一方を押下すると他の選択は解除される。さらに画面上位に表示されているものから順に印刷されることを示している。ある画像情報ファイルが選択されている状態でアップキー７０３が押下されると画面の上位に一つ移動し、ダウンキー７０４が押下されると画面の下位に一つ移動する。ある画像情報ファイルが選択されている状態で削除キー７０８が押下されると選択された画像情報ファイルはビルドジョブから削除される。ある画像情報ファイルが選択されている状態で再設定キー７０９が押下されると選択された画像情報ファイルの出力形態を再設定する画面に移行し、再設定が行われる。戻るキー７０６が押下されると図６に示すビルドジョブ開始画面が表示される。追加キー７０７が押下されると、図８で示すビルドジョブ追加画面がタッチパネル３１６に表示される。
【００５２】
図８において、８０１はスキャン開始キーであり、押下されるとステップＳ５０６に移行する。戻るキー８０９が押下されると図７に示すビルドジョブ画面が表示される。
【００５３】
８０２はボックス一覧表示欄であり、８０３から８０７はボックスの名称表示であるとともに選択ボタンであり、押下することによって表示が反転し、選択されていることを表すようになる。また、８０３から８０７はどれか一方のみ選択可能であり、他が選ばれているときに一方を押下すると他の選択は解除される。ボックスが選択されている状態でＯＫキー８０８が押下されると図９に示すビルドジョブデータファイル選択画面がタッチパネル３１６に表示される。
【００５４】
図９において、戻るキー９０８が押下されると図８に示すビルドジョブ追加画面が表示される。
【００５５】
９０１はボックス内のデータファイル一覧表示欄であり、９０２から９０６はスキャン画像データや画像情報ファイルの名称表示であるとともに選択ボタンであり、押下することによって表示が反転し、選択されていることを表すようになる。また、９０２から９０６はどれか一方のみ選択可能であり、他が選ばれているときに一方を押下すると他の選択は解除される。データファイルが選択されている状態で追加キー９０７が押下されるとステップＳ５０８に移行する。
【００５６】
ステップＳ５０６では、原稿給送装置２０１に置かれた原稿を読み取り画像データを作成し、ステップＳ５０７に移行する。
【００５７】
ステップＳ５０７では、ステップＳ５０６で作成した画像データをハードディスク１０８のテンポラリ領域４０１に保存し、ステップＳ５０９に移行する。
【００５８】
ステップＳ５０８では、ステップＳ５０５で選択されたボックス内のデータファイルの種類を確認し、スキャンした原稿の画像データであれば、ステップＳ５０９に移行し、情報ファイルの場合は、ステップＳ５１０に移行する。
【００５９】
ステップＳ５０９では、画像データに対する出力形態を設定する画面（図示しない）を表示し、両面／片面、ステイプルする／しない、用紙サイズ等を設定し、ここで設定された出力形態と画像データと関連付けて画像情報ファイルを作成し、ステップＳ５１０に移行する。
【００６０】
ステップＳ５１０では、画像情報ファイルをビルドジョブに追加し、追加した画像情報ファイルの名称が表示されたビルドジョブ画面（図７）がタッチパネル３１６に表示され、ステップＳ５１１に移行する。
【００６１】
ステップＳ５１１では、図７の追加キー７０７が押下されると追加終了ではないので、ステップＳ５１３に移行し、中断でないと判断され、さらに、ステップＳ５０５に移行する。また、プリントキー７０５が押下されるとステップＳ５１２に移行する。さらに、中断キー７１０が押下されるとステップＳ５１３に移行し、中断であると判断され、ステップＳ５１４に移行する。
【００６２】
ステップＳ５１２では、指定された順番で作成されたビルドジョブ内の各画像情報ファイルに基づいて印刷を行う。
【００６３】
ステップＳ５１４では、図１０で示すビルドジョブ中断画面１００１がタッチパネル３１６に表示される。
【００６４】
図１０において、１００２は作成中断ビルドジョブの名称が表示される表示領域であり、名称記入中の内容が表示される。１００３はソフトウェアキーボードであり、６０２に表示する文字を入力できるキーとなっている。ＯＫキー１００４が押下されると、６０２に表示されている名称の文字列、ＯＫキー１００４が押された日時とともに作成途中のビルドジョブをハードディスク１０８の作成中断ビルドジョブ領域４０８に保存する。このとき、作成を中断したビルドジョブで使用しているボックス４０３〜４０７内、及び、テンポラリ領域４０１に記憶されている画像データや画像情報ファイルをユーザの操作で消去できないようにロックする。
【００６５】
上記実施例のように、ビルドジョブを作成途中で記憶し、記憶した作成途中のビルドジョブの構築を再開することで、優先度の高い作業を先に実施させたいといった場合に、作成中断のジョブを破棄しないでことが可能になり、さらに、作成途中のビルドジョブで使用されている画像データや画像情報ファイルを消去できないようにすることで、誤って消去されることを防ぐことができ、作成途中のビルドジョブは印刷されないようにしたので、未完成のビルドジョブが誤って出力されてしまうことで起こる印刷媒体や出力時間の無駄を未然に防ぐことができる。また、一度設定された画像形成モードを手直しすることで、画像束の読み込みや印刷ジョブの投入を再度行わないようにすることができる。
【００６６】
なお、上記実施形態では、リーダ部１０３、プリンタ部１０４を制御する画像入出力制御部１０５を設ける構成について説明したが、リーダ部１０３、プリンタ部１０４をそれぞれＰＣ１１０に接続し、画像入出力制御部１０５の代わりをＰＣ１１０に行わせてもよい。
【００６７】
さらに、上記実施形態では、デジタル複写機の操作部にあるタッチパネル３１６からの操作で原稿読み取りを指示したが、ＰＣ１１０からのアクセスによって行う構成にしてもよい。
【００６８】
また、本発明は、スキャナ、ファクシミリ装置等を用いた場合についても同様に適用可能であり、上述した機能を実施することができる。
【００６９】
なお、上記各実施形態では、プリンタ部（プリンタエンジン）がレーザビーム方式である場合を例にして説明したが、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【図面の簡単な説明】
【００７０】
【図１】本発明における画像形成装置の構成を示すブロック図である。
【図２】本発明における図１の画像形成装置の構成を示す断面図である。
【図３】本発明における図１の操作部のキー配列を示す外観図である。
【図４】本発明のおける図１のハードディスクの使用方法を示す説明図である。
【図５】本発明における制御手順の一例を示すフローチャートである。
【図６】図３に示したタッチパネル３１６に表示するビルドジョブ開始画面の一例を示す模式図である。
【図７】図３に示したタッチパネル３１６に表示するビルドジョブ画面の一例を示す模式図である。
【図８】図３に示したタッチパネル３１６に表示するビルドジョブ追加画面の一例を示す模式図である。
【図９】図３に示したタッチパネル３１６に表示するビルドジョブデータファイル選択画面の一例を示す模式図である。
【図１０】図３に示したタッチパネル３１６に表示するビルドジョブ中断画面の一例を示す模式図である。
【符号の説明】
【００７１】
１０１  デジタル複写機本体
１０２  操作部
１０３  リーダ部
１０４  プリンタ部
１０５  画像入出力制御部
１０６  モデム部
１０７  コンピュータインタフェース部
１０８  ハードディスク
１０９  制御部
１１０  ＰＣ
１１１  サーバ
【図１】
2006159760.tif 000003
【図２】
2006159760.tif 000004
【図３】
2006159760.tif 000005
【図４】
2006159760.tif 000006
【図５】
2006159760.tif 000007
【図６】
2006159760.tif 000008
【図７】
2006159760.tif 000009
【図８】
2006159760.tif 000010
【図９】
2006159760.tif 000011
【図１０】
2006159760.tif 000012